(57)【要約】【課題】  簡易な抹茶の野点用セットの提供。【解決手段】  一服分の抹茶が入った包みと、食品に使用される長方形カップ原紙（ポリエチレンラミネート）シートに対して、内側穂先部分と外側穂先部分を構成する切り込みをいれ、外側穂先部分を指先で掴む部分から外側に曲げた状態で内側穂先部分を中にして指先で掴む部分を巻き付け結束作成した茶筅とが、点てた抹茶を入れるための蓋つきの容器内に収納されている。【効果】  簡便で、安価にどこででも抹茶を点てて服用できる。【選択図】図１
0003128472.tif 000002
【実用新案登録請求の範囲】
【請求項１】
一服分の抹茶が入った包みと、食品に使用される長方形状のカップ原紙（ポリエチレンラミネート）シートに対して、内側穂先部分と外側穂先部分を構成する切り込みをいれ、外側穂先部分を指先で掴む部分から外側に曲げた状態で、内側穂先部分を中にして指先で掴む部分を巻き付けて結束作成した茶筅とを、点てた抹茶を入れるための蓋つきの容器内に収納して成ることを特徴とする抹茶の野点用セット。
【請求項２】
茶筅が、食品への使用が許可されている０．５ｍｍ厚さのカップ原紙で、縦６０ｍｍ、横１００ｍｍ、指先で掴む部分２０ｍｍ、縦方向穂先部分は１．５ｍｍ幅に切り込み、それらを指先で掴む部分から２０°〜３０°外側へ曲げ、横４５ｍｍ幅の外側穂先先端５ｍｍを１５°〜２０°巻き付け側に曲げ、横４２ｍｍ幅の内側穂先先端を５ｍｍ切除してからさらに５ｍｍを巻き付け側に曲げ、残り穂先先端を１０ｍｍ切除したものを、その内側穂先を内側として巻き付けて形成した指先で掴む部分を結束したものである請求項１記載の抹茶の野点用セット。
【請求項３】
蓋つき容器素材が、カップ原紙（ポリエチレンラミネート両面２０ミクロンコーディネイト）、ＰＰ（ポリプロピレン）樹脂シートあるいは耐水処理をした紙のいずれかよりなる請求項１または２のいずれかに記載の抹茶の野点用セット。
【考案の詳細な説明】
【技術分野】
【０００１】  本考案は、簡易な抹茶の野点用セットに関する。
【背景技術】
【０００２】  わが国においては、古くは安土桃山時代あるいはそれ以前から、抹茶を点ててくつろぐことが行なわれており、色々な茶道流派ができて、それぞれに活躍されている。【０００３】  一般庶民は、むつかしい礼儀作法にこだわる事無く、気軽に抹茶を点てて、客をもてなすことががおおく、室内ばかりでなく、野外でも抹茶を点てる、いわゆる野点も広く行なわれている。とくに、抹茶を日常茶飯事のように服用している人々にとっては、簡単にどこででも抹茶を点てて飲みたいと考えているのが大半である。【０００４】  ところが、抹茶道具は、通常色々な茶器そのものが高価なであり、安直にどこにでも持ち運びされるようなものはほとんどなかったのが実情であった。野点の場合でも、注意深く道具を取り扱われているのがほとんどである。【０００５】  本考案は、前記従来の事情を解決するため、簡易な抹茶の野点用セットを提供することを目的としている。
【考案の開示】
【考案が解決しようとする課題】
【０００６】  本考案は、簡便で、水（当然ながらお湯も含まれる。）さえあれば、どこででも抹茶を点てて、服用できるようにした簡易な抹茶の野点用セットである。
【課題を解決するための手段】
【０００７】  前記の目的を達成するために、本考案者は鋭意研究を重ねた結果、点てた抹茶を入れるための蓋つき容器内に、一服分の抹茶の包みと、組み立て式の茶筅とを収納したセットとすることが有効であることを知見し、本考案を完成するに到った。【０００８】  前記知見に基づいてなされた本考案は、一服分の抹茶が入った包みと、食品に使用される長方形状のカップ原紙（ポリエチレンラミネート）シートに対して、外側穂先部分と内側穂先と芯部分を構成する切り込みをいれ、外側穂先部分を指先で掴む部分から外側に曲げた状態とし、内側穂先部分を中にして指先で掴む部分となるように巻き付け結束作成した茶筅とを、点てた抹茶を入れるための蓋つきの容器内に収納して成ることを特徴とする抹茶の野点用セットを要旨としている。【０００９】  また、本考案セットの茶筅は、食品への使用が許可されている０．５ｍｍ厚さのカップ原紙（ポリエチレンラミネート）製で、縦６０ｍｍ、横１００ｍｍ、指先で掴む部分２０ｍｍ、縦方向穂先部分は１．５ｍｍ幅に切り込み、それらを指先で掴む部分から３０°〜４０°外側へ曲げ、横４５ｍｍ幅の外側穂先先端５ｍｍを１５°〜２０°巻き付け側に曲げ、横４２ｍｍ幅の内側穂先先端を５ｍｍ切除してからさらに５ｍｍを巻き付け側に曲げ、残り穂先先端を１０ｍｍ切除したものを、その内側穂先を内側として巻き付けて形成した指先で掴む部分を結束したものであることを要旨としている。【００１０】  さらに、本考案セットの蓋つき容器は、カップ原紙（ポリエチレンラミネート）製、あるいはポリプロピレン樹脂シート製、さらにはポリプロピレン樹脂を含浸させて耐水処理をした合成紙製であることを要旨とするものである。【００１１】  本考案セットに組み合わせる抹茶としては、一回分の抹茶をいれた袋の口を、取り扱いが便利なコヨリで閉じたものが用いられるが、これを脱酸素剤と一緒にアルミニウムコーティング紙製の袋にいれて密封しておけば、抹茶の鮮度が長く維持できる。
【考案の効果】
【００１２】  本考案の抹茶の野点用セットは簡便で、しかも安価に抹茶を楽しむことができるという効用を有するものである。
【考案を実施するための最良の形態】
【００１３】  図面により、本考案を説明する。
図１は本考案セットの概要を示しており、点てた抹茶を入れるための容器本体１内に、一服分を包装した抹茶の包み２と、後述する構造の茶筅３を収納し、蓋４を被せることにより抹茶の野点用セットとしたものである。【００１４】  本考案における茶筅３は、図２（ａ）の展開図に示すように、食品への使用が許可されている０．５ｍｍ厚さのカップ原紙（ポリエチレンラミネート両面２０ミクロンコーディネート）あるいはポリプロピレン樹脂シート５製で、縦６０ｍｍ、横１００ｍｍ、指先で掴む部分６が２０ｍｍ、縦方向穂先部分７ａ、８ａ、９は１．５ｍｍ幅に切り込み、そのうち横４５ｍｍ幅の外側穂先部分７を、指先で掴む部分６から２０°〜３０°外側へ曲げ、この外側穂先先端７ａの５ｍｍを１５°〜２０°巻き付け側中心に曲げ、横４２ｍｍ幅の内側穂先８の先端を５ｍｍ切除してから、さらに５ｍｍを巻き付け側に曲げて８ａとし、残り穂先９の先端を１０ｍｍ切除したものを、内側として巻き付けて形成した指先で掴む部分６を結束したものである【００１５】  本考案において使用される容器１と蓋４は、カップ原紙（ポリエチレンラミネート両面２０ミクロンコーディネート）製、あるいはポリプロピレン樹脂含浸による耐水処理を施した紙製であって、その大きさは、開口部直径９７ｍｍ、底部直径８０ｍｍ、深さ５０ｍｍ、厚さ１．５ｍｍのカップ型で、使用後は、可燃ゴミとして処分することができる。【００１６】  本考案に係る抹茶の野点用セットは、水またはお湯の準備さえできれば、いつでも、どこでも使用可能である。その使用に際しては、容器１から蓋４を外し、収納されている抹茶の包み２と茶筅３を取り出し、包み２内から抹茶を容器１内に移して、所定量の水またはお湯を注ぎ、茶筅３により攪拌して抹茶を点てるものである。使用済みのセットは、可燃ゴミとして処理される。【００１７】  複数の人で野点をする場合には、容器１を必要な数（３個あるいは５個）だけ重ねて、最上部の容器内に、容器個数分の抹茶の包みと（必要によりお菓子と）前述の茶筅１個を入れて蓋４をすれば良い。容器１の内容積から、内部に入れられる抹茶の包み（とお菓子）の数は限られている。多人数のときは、重ねたものを幾組か用意すれば足りる。
【実施例１】
【００１８】  容器１として、開口径９７ｍｍ、底部径８０ｍｍ、深さ５０ｍｍ、厚さ１．５ｍｍのカップ原紙（ポリエチレンラミネート両面２０ミクロンコーディネート）製カップ型の蓋つき容器に、耐水性金属蒸着包装紙製袋に２ｇ（一服分）の抹茶を、前述したカップ原紙（ポリエチレンラミネート両面２０ミクロンコーディネート）製茶筅と一緒に収納して蓋をすると持運びに便利である。【００１９】  容器の大きさは、使用目的に応じて変更することができ、十分な量の抹茶を飲みたい人には大きいサイズのセットを準備し、大勢で楽しむ場合には、標準型のものを人数分揃えることにより、みんなが揃って一緒に優雅な雰囲気で味わうことができる。
本考案セットを使用すれば、気温の高い夏場などでは、水点てで、清涼な一服を味わうことができ、適温のお湯を使うことにより、その季節に合致した、野点を楽しむことができる。
【産業上の利用可能性】
【００２０】  以上説明したように、本考案によれば、持運びが簡単であり、水またはお湯さえ準備できれば、場所にこだわる事無く抹茶を賞味することが可能であり、優雅な気分に浸ることができるという顕著な効果が奏され、極めて有用である。
【図面の簡単な説明】
【００２１】
【図１】  本考案の野点用抹茶セットの斜視図である。
【図２】  図１に示す本考案の茶筅の展開説明図（ａ）、茶筅側面図（ｂ）および茶筅攪拌部の一部を示す斜視図（ｃ）である。
【符号の説明】
【００２２】    １          容器本体
２          抹茶包み
３          茶筅
４          蓋
５          長方形カップ原紙（ポリエチレンラミネート両面２０ミクロンコーディネート）シート
６          指先で掴む部分
７          外側穂先
７ａ        外側穂先先端
８          内側穂先
８ａ        内側穂先先端
９          残り穂先を曲げない芯
【図１】
0003128472.tif 000003
【図２】
0003128472.tif 000004
【手続補正書】
【提出日】平成18年10月2日(2006.10.2)
【手続補正１】
【補正対象書類名】実用新案登録請求の範囲
【補正対象項目名】全文
【補正方法】変更
【補正の内容】
【実用新案登録請求の範囲】
【請求項１】
一服分の抹茶が入った包みと、食品に使用される長方形状のカップ原紙シートに対して、内側穂先部分と外側穂先部分を構成する切り込みをいれ、外側穂先部分を指先で掴む部分から外側に曲げた状態で、内側穂先部分を中にして指先で掴む部分を巻き付けて結束作成した茶筅とを、点てた抹茶を入れるための蓋つきの容器内に収納して成ることを特徴とする抹茶の野点用セット。
【請求項２】
茶筅が、食品への使用が許可されている０．５ｍｍ厚さのカップ原紙で、縦６０ｍｍ、横１００ｍｍ、指先で掴む部分２０ｍｍ、縦方向穂先部分は１．５ｍｍ幅に切り込み、それらを指先で掴む部分から２０°〜３０°外側へ曲げ、横４５ｍｍ幅の外側穂先先端５ｍｍを１５°〜２０°巻き付け側に曲げ、横４２ｍｍ幅の内側穂先先端を５ｍｍ切除してからさらに５ｍｍを巻き付け側に曲げ、残り穂先先端を１０ｍｍ切除したものを、その内側穂先を内側として巻き付けて形成した指先で掴む部分を結束したものである請求項１記載の抹茶の野点用セット。
【請求項３】
蓋付き容器素材が、カップ原紙、ＰＰ（ポリプロピレン）樹脂シートあるいは耐水処理をした紙のいずれかよりなる請求項１または２のいずれかに記載の抹茶の野点用セット。
【手続補正２】
【補正対象書類名】明細書
【補正対象項目名】０００８
【補正方法】変更
【補正の内容】
【０００８】  前記知見に基づいてなされた本考案は、一服分の抹茶が入った包みと、食品に使用される長方形状のカップ原紙シートに対して、内側穂先部分と外側穂先部分を構成する切り込みをいれ、外側穂先部分を指先で掴む部分から外側に曲げた状態で、内側穂先部分を中にして指先で掴む部分を巻き付けて結束作成した茶筅とを、点てた抹茶を入れるための蓋つきの容器内に収納して成ることを特徴とする抹茶の野点用セットを要旨としている。
【手続補正３】
【補正対象書類名】明細書
【補正対象項目名】０００９
【補正方法】変更
【補正の内容】
【０００９】  また、本考案セットの茶筅は、食品への使用が許可されている０．５ｍｍ厚さのカップ原紙製で、縦６０ｍｍ、横１００ｍｍ、指先で掴む部分２０ｍｍ、縦方向穂先部分は１．５ｍｍ幅に切り込み、それらを指先で掴む部分から３０°〜４０°外側へ曲げ、横４５ｍｍ幅の外側穂先先端５ｍｍを１５°〜２０°巻き付け側に曲げ、横４２ｍｍ幅の内側穂先先端を５ｍｍ切除してからさらに５ｍｍを巻き付け側に曲げ、残り穂先先端を１０ｍｍ切除したものを、その内側穂先を内側として巻き付けて形成した指先で掴む部分を結束したものであることを要旨としている。
【手続補正４】
【補正対象書類名】明細書
【補正対象項目名】００１０
【補正方法】変更
【補正の内容】
【００１０】  さらに、本考案セットの蓋付き容器は、カップ原紙製、あるいはポリプロピレン樹脂シート製、さらにはポリプロピレン樹脂を含浸させて耐水処理をした合成紙であることを要旨とするものである。
【手続補正５】
【補正対象書類名】明細書
【補正対象項目名】００１４
【補正方法】変更
【補正の内容】
【００１４】  本考案における茶筅３は、図２（ａ）の展開図に示すように、食品への使用が許可されている０．５ｍｍ厚さのカップ原紙あるいはポリプロピレン樹脂シート５製で、縦６０ｍｍ、横！００ｍｍ、指先で掴む部分６が２０ｍｍ、縦方向穂先部分７ａ、８ａ、９は１．５ｍｍ幅に切り込み、そのうち横４５ｍｍ幅の外側穂先部分を、指先で掴む部分６から２０°〜３０°外側へ曲げ、この外側穂先先端７ａの５ｍｍを１５°〜２０°巻き付け中心側に曲げて８ａとし、残り穂先９の先端を１０ｍｍ切除したものを、内側として巻き付けて形成した指先で掴む部分６を結束したものである。
【手続補正６】
【補正対象書類名】明細書
【補正対象項目名】００１５
【補正方法】変更
【補正の内容】
【００１５】  本考案において使用される容器１と蓋２は、カップ原紙製、あるいはポリプロピレン樹脂含浸による耐水処理を施した紙製であって、その大きさは、開口部直径９７ｍｍ、底部直径８０ｍｍ、深さ５０ｍｍ、厚さ１．５ｍｍのカップ型で、使用後は、可燃ゴミとして処分することができる。
【手続補正７】
【補正対象書類名】明細書
【補正対象項目名】００１８
【補正方法】変更
【補正の内容】
【００１８】  容器１として、開口径９７ｍｍ、底部径８０ｍｍ、深さ５０ｍｍ、厚さ１．５ｍｍのカップ原紙製カップ型の蓋つき容器に、耐水性金属蒸着包装紙製袋に２ｇ（一服分）の抹茶を、前述したカップ原紙製茶筅と一緒に収納して蓋をすると持運びに便利である。
【手続補正８】
【補正対象書類名】明細書
【補正対象項目名】００２２
【補正方法】変更
【補正の内容】
【００２２】      １              容器本体
２              抹茶包み
３              茶筅
４              蓋
５              長方形カップ原紙シート
６              指先で掴む部分
７              外側穂先
７ａ            外側穂先先端
８              内側穂先
８ａ            内側穂先先端
９              残り穂先を曲げない芯